(57)【要約】【課題】ユーザが設定した目標よりも好適な目標をユーザに自動的に提示すること。【解決手段】情報処理装置１１は、目標情報受付部１１１と、階層判定部１１２と、目標情報抽出部１１３と、目標情報送信部１１４とを備える。目標情報受付部１１１は、ユーザの目標の内容を示す目標情報をユーザ端末１２から受け付ける。階層判定部１１２は、複数の目標情報及びその達成状況が階層構造で格納された目標管理ＤＢ１３１に基づいて、目標情報受付部１１１により受け付けられた目標情報の階層を判定する。目標情報抽出部１１３は、階層判定部１１２により判定された目標情報の階層とは異なる階層に属する目標情報を、目標管理ＤＢ１３１から抽出する。目標情報送信部１１４は、目標情報抽出部１１３により抽出された目標情報を、ユーザ端末１２に送信する。【選択図】図４
2014067364.tif 000002
【特許請求の範囲】
【請求項１】
ユーザの目標の設定を補助する情報処理装置であって、
ユーザの目標の内容を示す目標情報を当該ユーザの端末から受け付ける受付手段と、
複数の目標情報及びその達成状況が階層構造で格納された目標管理データベースに基づいて、前記受付手段により受け付けられた前記目標情報の階層を判定する階層判定手段と、
前記階層判定手段により判定された前記目標情報の階層とは異なる階層に属する目標情報を、前記目標管理データベースから抽出する抽出手段と、
前記抽出手段により抽出された前記目標情報を、前記ユーザの端末に送信する送信手段と、
を備えることを特徴とする情報処理装置。
【請求項２】
前記抽出手段は、前記階層判定手段により判定された前記目標情報の階層よりも下位層に属する目標情報のうち、達成状況が所定以上の目標情報を、下位層目標情報として前記目標管理データベースから抽出する、
ことを特徴とする請求項１に記載の情報処理装置。
【請求項３】
前記抽出手段の抽出対象となる階層を設定する設定手段をさらに備え、
前記抽出手段は、前記階層判定手段により判定された前記目標情報の階層よりも下位層であってかつ前記設定手段により設定された階層に属する目標情報のうち、達成状況が所定以上の目標情報を、前記下位層目標情報として前記目標管理データベースから抽出する、
ことを特徴とする請求項２に記載の情報処理装置。
【請求項４】
前記受付手段は、複数の目標情報を受け付け、
前記階層判定手段は、前記複数の目標情報の各々の階層を判定し、
前記抽出手段は、前記階層判定手段により判定された前記複数の目標情報の各々の階層よりも下位層に属する目標情報のうち、当該複数の目標情報に共通して下位層目標情報となり得るものを、前記下位層目標情報として優先的に抽出する、
ことを特徴とする請求項２に記載の情報処理装置。
【請求項５】
ユーザの目標の設定を補助する情報処理装置が実行する情報処理方法であって、
ユーザの目標の内容を示す目標情報を当該ユーザの端末から受け付ける受付ステップと、
複数の目標情報及びその達成状況が階層構造で格納された目標管理データベースに基づいて、前記受付ステップにより受け付けられた前記目標情報の階層を判定する階層判定ステップと、
前記階層判定ステップにより判定された前記目標情報の階層とは異なる層に属する目標情報を、前記目標管理データベースから抽出する抽出ステップと、
前記抽出ステップの処理により抽出された前記目標情報を、前記ユーザの端末に送信する送信ステップと、
を含むことを特徴とする情報処理方法。
【請求項６】
ユーザの目標の設定を補助するコンピュータを、
ユーザの目標の内容を示す目標情報を当該ユーザの端末から受け付ける受付手段、
複数の目標情報及びその達成状況が階層構造で格納された目標管理データベースに基づいて、前記受付手段により受け付けられた前記目標情報の階層を判定する階層判定手段、
前記階層判定手段により判定された前記目標情報の階層とは異なる階層に属する目標情報を、前記目標管理データベースから抽出する抽出手段、
前記抽出手段により抽出された前記目標情報を、前記ユーザの端末に送信する送信手段、
として機能させることを特徴とするプログラム。
【発明の詳細な説明】
【技術分野】
【０００１】
本発明は、情報処理装置、情報処理方法及びプログラムに関する。
【背景技術】
【０００２】
従来から、ユーザが設定した目標に対して、サポータ（支持者）からの支持や応援を受けることができるシステムが知られている（例えば、特許文献１参照）。
【先行技術文献】
【特許文献】
【０００３】
【特許文献１】特開２０１０−９５２６号公報
【発明の概要】
【発明が解決しようとする課題】
【０００４】
しかしながら、ユーザが設定した目標よりも好適な目標を自動的にユーザに提示することが要求されているが、特許文献１に記載のシステムを含め従来のシステムでは、当該要求に充分に応えることができていない状況である。
【０００５】
本発明は、このような状況に鑑みてなされたものであり、ユーザが設定した目標よりも好適な目標を自動的にユーザに提示することを目的とする。
【課題を解決するための手段】
【０００６】
上記目的を達成するため、本発明の一態様の情報処理装置は、
ユーザの目標の設定を補助する情報処理装置であって、
ユーザの目標の内容を示す目標情報を当該ユーザの端末から受け付ける受付手段と、
複数の目標情報及びその達成状況が階層構造で格納された目標管理データベースに基づいて、前記受付手段により受け付けられた前記目標情報の階層を判定する階層判定手段と、
前記階層判定手段により判定された前記目標情報の階層とは異なる階層に属する目標情報を、前記目標管理データベースから抽出する抽出手段と、
前記抽出手段により抽出された前記目標情報を、前記ユーザの端末に送信する送信手段と、
を備えることを特徴とする。
【０００７】
本発明の一態様の情報処理装置によれば、ユーザの端末から受け付けられた目標情報の階層とは異なる階層に属する目標情報が抽出され、ユーザの端末に送信される。
したがって、ユーザが設定した目標よりも好適な目標を自動的にユーザに提示することができる。
具体的には例えばユーザの端末から受け付けられた目標情報の階層よりも下位層に属する目標情報が抽出された場合、ユーザが設定しようとする目標情報の下位概念をユーザに提示できるので、より具体的で適切な目標情報をユーザに提示できる。
一方、例えばユーザの端末から受け付けられた目標情報の階層よりも上位層に属する目標情報が抽出された場合、ユーザが設定しようとする目標情報の上位概念の目標情報をユーザに提示できるので、ユーザが設定した目標情報が属するカテゴリをユーザに提示できると共に、具体的な行動内容により近い下位目標をユーザが設定すると、より適切な上位層の目標を自動的に設定することができる。
【０００８】
本発明の別の態様の情報処理装置は、
前記抽出手段は、前記階層判定手段により判定された前記目標情報の階層よりも下位層に属する目標情報のうち、達成状況が所定以上の目標情報を、下位層目標情報として前記目標管理データベースから抽出する、
ことを特徴とする。
【０００９】
本発明の別の態様の情報処理装置によれば、ユーザの端末から受け付けられた目標情報の階層よりも下位層に属する目標情報のうち、達成状況が所定以上の目標情報が抽出される。
したがって、ユーザの端末から受け付けられた目標情報より具体的な目標情報であって、かつ、良好な達成状況をもたらす目標情報をユーザに提示できる。
このことにより、ユーザは、実際に実施する行動内容により近い具体的な下位目標を認識した上で、ユーザ自身にとって取り組み易く、かつ、良好な達成状況をもたらす目標設定作業を実行できる。
【００１０】
本発明の別の態様の情報処理装置は、
前記抽出手段の抽出対象となる階層を設定する設定手段をさらに備え、
前記抽出手段は、前記階層判定手段により判定された前記目標情報の階層よりも下位層であってかつ前記設定手段により設定された階層に属する目標情報のうち、達成状況が所定以上の目標情報を、前記下位層目標情報として前記目標管理データベースから抽出する、
ことを特徴とする。
【００１１】
したがって、ユーザの端末から受け付けられた目標情報より具体的な目標情報であって、かつ、良好な達成状況をもたらす目標情報をユーザに提示できると共に、ユーザが所望する階層の目標情報をユーザに提示できる。
【００１２】
本発明の別の態様の情報処理装置は、
前記受付手段は、複数の目標情報を受け付け、
前記階層判定手段は、前記複数の目標情報の各々の階層を判定し、
前記抽出手段は、前記階層判定手段により判定された前記複数の目標情報の各々の階層よりも下位層に属する目標情報のうち、当該複数の目標情報に共通して下位層目標情報となり得るものを、前記下位層目標情報として優先的に抽出する、
ことを特徴とする。
【００１３】
本発明の別の態様の情報処理装置によれば、ユーザの端末から受け付けられた目標情報が複数ある場合、複数の目標情報の各々の下位層に共通して属する目標情報が優先的に抽出される。
したがって、複数の目標を達成するための共通する具体的な目標情報をユーザに優先的に提示できる。
【００１４】
本発明の一態様の情報処理方法及びプログラムは、上述の本発明の一態様の情報処理装置に対応する方法及びプログラムである。従って、本発明の一態様の情報処理方法及びプログラムは、上述の本発明の一態様の情報処理装置と基本的に同様の作用効果を奏する。
【発明の効果】
【００１５】
本発明によれば、ユーザが設定した目標よりも好適な目標をユーザに自動的に提示することができる。
【図面の簡単な説明】
【００１６】
【図１】第１実施形態に係る目標設定アシストシステムの構成を示す図である。
【図２】図１の目標設定アシストシステムのうち情報処理装置のハードウェアの構成を示すブロック図である。
【図３】図１の目標設定アシストシステムのうちユーザ端末のハードウェアの構成を示すブロック図である。
【図４】図１の目標設定アシストシステムを構成する情報処理装置及びユーザ端末の機能的構成のうち、目標設定アシスト処理を実行するための機能的構成を示す機能ブロック図である。
【図５】第２階層目標情報設定画面の例を示す図である。
【図６】第３階層目標情報設定画面の例を示す図である。
【図７】目標管理ＤＢの構造の一例を示す図である。
【図８】目標情報と達成率との対応関係を示した図である。
【図９】目標情報と達成率との対応関係を示した図である。
【図１０】図１の目標設定アシストシステムを構成する情報処理装置及びユーザ端末が目標設定アシスト処理をそれぞれ実行する場合における相互の処理の関係について説明するアローチャートである。
【図１１】第２実施形態の目標設定アシストシステムを構成する情報処理装置及びユーザ端末の機能的構成のうち、目標設定アシスト処理及び目標達成情報受付処理を実行するための機能的構成を示す機能ブロック図である。
【図１２】第２実施形態の目標設定アシストシステムを構成する情報処理装置及びユーザ端末が目標設定アシスト処理をそれぞれ実行する場合における相互の処理の関係について説明するアローチャートである。
【図１３】目標情報と達成率との対応関係を示した図である。
【図１４】第３実施形態の目標設定アシストシステムを構成する情報処理装置及びユーザ端末が目標設定アシスト処理をそれぞれ実行する場合における相互の処理の関係について説明するアローチャートである。
【発明を実施するための形態】
【００１７】
以下、図面を参照しながら、本発明の実施形態について説明する。
【００１８】
［第１実施形態］
図１は、本発明の第１実施形態に係る目標設定アシストシステム１０の構成を示す図である。
本実施形態の目標設定アシストシステム１０は、１人または複数人のユーザに対して、当該ユーザの目標設定を補助する目的で使用される。
【００１９】
ここで、「目標」と、当該目標の達成のために実施すべき「行動」とを区別することもできるが、この「行動」も、当該「目標」に対して下位の具体的な「目標」と把握することもできる。即ち、本実施形態では、「目標」に階層化の概念を導入し、とある「目標」の達成のために実施すべき「行動」は、当該「目標」の下位層に属する「別の目標」として取り扱うことにする。
【００２０】
図１に示すように、本実施形態に係る目標設定アシストシステム１０は、情報処理装置１１と、ｎ人（ｎは１以上の整数値）の各ユーザの各々に使用されるｎ台のユーザ端末１２―１〜１２―ｎと、を有している。情報処理装置１１と、ユーザ端末１２―１〜１２―ｎとのそれぞれは、インターネット（Ｉｎｔｅｒｎｅｔ）回線等のネットワーク１３を介して相互に接続されている。
以下、ユーザ端末１２―１〜１２―ｎを個々に区別する必要がない場合、これらをまとめて、「ユーザ端末１２」と単に呼ぶ。また、ユーザ端末１２と呼んでいる場合には、その構成要素の符号についても、１〜ｎを省略して説明する。
【００２１】
情報処理装置１１は、本実施形態では例えばサーバ用のコンピュータで構成されている。情報処理装置１１は、過去に行われた目標の達成状況（行動の実施状況を含む）を予め受け付けて記憶する。
ユーザ端末１２は、本実施形態では例えば、所定のユーザにより携帯されるスマートフォンで構成されている。所定のユーザが使用するユーザ端末１２−ｋ（ｋは、１〜ｎのうちの任意の整数値）は、当該ユーザの目標の内容を示す目標情報（当該目標に到達するまでにユーザが実施すべき行動の内容を示す行動情報を含む）を生成して、情報処理装置１１に送信する。
この場合、情報処理装置１１は、ユーザ端末１２−ｋから目標情報を受信して受け付けると、受け付けた目標情報の階層（後述）を判定し、判定した階層とは異なる階層に属する目標情報を目標管理データベース（後述）から抽出する。さらに、情報処理装置１１は、抽出した目標情報をユーザ端末１２−ｋに送信する。
【００２２】
さらに以下、目標設定アシストシステム１０の各構成要素、即ち情報処理装置１１及びユーザ端末１２の各々の詳細について説明する。
【００２３】
図２は、本発明の第１実施形態に係る情報処理装置１１のハードウェアの構成を示すブロック図である。
【００２４】
情報処理装置１１は、ＣＰＵ（Ｃｅｎｔｒａｌ  Ｐｒｏｃｅｓｓｉｎｇ  Ｕｎｉｔ）２１と、ＲＯＭ（Ｒｅａｄ  Ｏｎｌｙ  Ｍｅｍｏｒｙ）２２と、ＲＡＭ（Ｒａｎｄｏｍ  Ａｃｃｅｓｓ  Ｍｅｍｏｒｙ）２３と、バス２４と、入出力インターフェース２５と、出力部２６と、入力部２７と、記憶部２８と、通信部２９と、ドライブ３０と、を備えている。
【００２５】
ＣＰＵ２１は、ＲＯＭ２２に記録されているプログラム、または、記憶部２８からＲＡＭ２３にロードされたプログラムに従って各種の処理を実行する。
【００２６】
ＲＡＭ２３には、ＣＰＵ２１が各種の処理を実行する上において必要なデータ等も適宜記憶される。
【００２７】
ＣＰＵ２１、ＲＯＭ２２及びＲＡＭ２３は、バス２４を介して相互に接続されている。このバス２４にはまた、入出力インターフェース２５も接続されている。入出力インターフェース２５には、出力部２６、入力部２７、記憶部２８、通信部２９及びドライブ３０が接続されている。
【００２８】
出力部２６は、ディスプレイやスピーカ等で構成され、画像や音声を出力する。
入力部２７は、電源ボタン、操作ボタン等各種ボタン等で構成され、ユーザの指示操作に応じて各種情報を入力する。
記憶部２８は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、目標情報や行動情報等の各種情報のデータを記憶する。
【００２９】
通信部２９は、インターネットを含むネットワーク１３を介してユーザ端末１２との間で行う通信を制御する。
【００３０】
ドライブ３０には、磁気ディスク、光ディスク、光磁気ディスク、あるいは半導体メモリ等よりなる、リムーバブルメディア４１が適宜装着される。ドライブ３０によってリムーバブルメディア４１から読み出されたプログラムは、必要に応じて記憶部２８にインストールされる。また、リムーバブルメディア４１は、記憶部２８に記憶されている目標情報や行動情報等の各種データも、記憶部２８と同様に記憶することができる。
【００３１】
図３は、図１の目標設定アシストシステム１０のうちユーザ端末１２のハードウェアの構成を示すブロック図である。
【００３２】
ユーザ端末１２は、ＣＰＵ５１〜ドライブ６０を備えている。ＣＰＵ５１〜ドライブ６０の各々は、上述した図２のＣＰＵ２１〜ドライブ３０の各々と基本的に同様の機能と構成を有している。したがって、ＣＰＵ５１〜ドライブ６０の個々の説明は、ここでは省略する。
なお、ユーザ端末１２は本実施形態ではスマートフォンで構成されているので、入力部５７に含まれる各種ボタン等には、ハードウェアボタンのみならず、出力部５６の画面に表示されるソフトウェアボタンも含まれる。即ち、入力部５７は、出力部５６のディスプレイに積層されるタッチパネルも含むように構成されている。
また、通信部５９は、インターネットを含むネットワーク１３を介して情報処理装置１１との間で行う通信を制御する。
【００３３】
図４は、図２の情報処理装置１１及び図３のユーザ端末１２の機能的構成のうち、第１実施形態における目標設定アシスト処理を実行するための機能的構成を示す機能ブロック図である。
目標設定アシスト処理とは、次のような一連の処理をいう。即ち、ユーザ端末１２は、ユーザの入力操作により受け付けられた目標に基づいて目標情報を生成して、情報処理装置１１に送信する。情報処理装置１１は、当該目標情報を受信すると、当該目標情報の階層を判定する。情報処理装置１１は、判定した階層より下位層に属する目標情報のうち、達成率が所定以上の目標情報を、下位層目標情報としてユーザ端末１２に送信する。ユーザ端末１２は、当該下位層目標情報を受信して、出力部２６から表示出力することで、ユーザに提示する。さらに、ユーザ端末１２は、受信した下位層目標情報が属する階層よりもさらに下位の階層を指示するための情報を生成して情報処理装置１１に送信する。情報処理装置１１は、当該指示するための情報を受信すると、当該さらに下位の階層に属する目標情報のうち、達成率が所定以上の目標情報を、下位層目標情報としてユーザ端末１２に送信する。ユーザ端末１２は、当該下位層目標情報を受信して、出力部２６から表示出力することで、ユーザに提示する。
【００３４】
図４を参照して、情報処理装置１１及びユーザ端末１２の機能的構成について説明する。
まず、情報処理装置１１のＣＰＵ２１においては、目標設定アシスト処理の実行が制御される場合、目標情報受付部１１１と、階層判定部１１２と、目標情報抽出部１１３と、目標情報送信部１１４と、階層設定部１１５と、が機能する。
また、情報処理装置１の記憶部２８の一領域には、目標管理データベース１３１（以下、「目標管理ＤＢ１３１」と略記する）が格納されている。
【００３５】
ユーザ端末１２のＣＰＵ５１においては、目標設定アシスト処理の実行が制御される場合、目標情報送信部１２１と、目標情報提示部１２２と、階層指示部１２３と、が機能する。
【００３６】
目標情報送信部１２１は、ユーザの目標を入力部５７（図３参照）を介して受け付ける。目標情報送信部１２１は、受け付けたユーザの目標に基づいて、目標情報を生成する。目標情報送信部１２１は、生成した目標情報を情報処理装置１１の目標情報受付部１１１へ送信する。
【００３７】
目標情報受付部１１１は、ユーザ端末１２から送信されたユーザの目標情報を、通信部２９（図２）を介して受信して受け付ける。
【００３８】
図５は、ユーザ端末１２の出力部５６に表示される第２階層目標情報設定画面の例を示す図である。
即ち、目標設定アシスト処理が開始されると、図５に示すような第２階層目標設定画面が、ユーザ端末１２の出力部５６に表示される。
図５に示すように、第２階層目標情報設定画面は、ユーザが入力部５７を操作して設定対象の目標をチェックするチェックシートとして機能する。当該チェックシートの列には、ユーザの地位等の複数の立場が設定され、チェックシートの行には、複数の大目標の項目が設定されている。
チェックシートに設定されている、ユーザの地位等の複数の立場とし、それぞれ「新人」、「中堅」、「管理職」、「その他」が設定されている。また、チェックシートに設定されている複数の大目標としては、それぞれ「土台」、「ビジネススキル」、「マネジメントスキル」、「その他」が設定されている。
各立場の各大目標（第１階層の目標）毎に、下位層としての複数の中目標の項目が設定されている。各中目標の項目には、チェックボックスが設定されている。例えば、ユーザがユーザ端末１２の入力部５７を介して、中目標として「聞く力」を選択した場合には、「聞く力」の中目標に対応するチェックボックスにチェックマーク（レ点）が付される。
即ち、「大目標」として列挙された、「土台」、「ビジネススキル」、「マネジメントスキル」、「その他」は、第１階層の目標情報である。そして、「新人」、「中堅」、「管理職」、「その他」ごとに対応付けられた各目標情報（チェック項目）は、第２階層の目標情報である。第１階層の目標情報は、最上位の概念の目標情報である。第２階層の目標情報は、第１階層の目標情報の下位概念であり、第１階層の目標情報がより具体化されたものである。
【００３９】
例えば、新人の立場のユーザにより、第１階層の目標情報である「土台」の目標設定操作として、ユーザ端末１２の入力部５７（図３参照）が操作されて、第２階層の各種目標情報のうち、「マナー」に対応するチェックボックスがチェックされ、入力部５７に設けられた送信ボタン（図示せず）が押下されたものとする。
この場合、ユーザ端末１２の目標情報送信部１２１は、「マナー」をユーザの目標として、入力部５７を介して受け付ける。目標情報送信部１２１は、ユーザの目標として受け付けた「マナー」を表すデータを、目標情報として生成する。目標情報送信部１２１は、生成した目標情報を情報処理装置１１の目標情報受付部１１１へ送信する。
詳細については後述するが、この場合、情報処理装置１１の目標情報受付部１１１は、「マナー」を表す目標情報を受信して受け付ける。階層判定部１１２は、受け付けた目標情報の階層（後述）は第２階層であると判定する。目標情報抽出部１１３は、判定した階層とは異なる階層、ここでは直下の階層（第３階層）に属する目標情報を目標管理データベース（後述）から抽出する。そして、目標条送信部１１４は、抽出した目標情報をユーザ端末１２に送信する。
すると、さらに、図６に示されるように、当該「マナー」の下位層（第３階層）の目標を設定するための第３階層目標情報設定画面が、ユーザ端末１２の出力部５６に表示される。
【００４０】
図６は、ユーザ端末１２の出力部５６に表示される第３階層目標情報設定画面の例を示す図である。
図６によれば、第２階層の目標情報である「マナー」と、「マナー」の下位概念の目標情報（第３階層の目標情報）である「挨拶の徹底」、「身だしなみ」などとが対応付けられている。このように、第３階層の目標情報は、その上位の第２階層の目標情報の下位概念であり、その上位の第２階層の目標情報がより具体化されたものである。
【００４１】
例えば、新人の立場のユーザにより、第２階層の目標情報である「マナー」の目標設定操作として、ユーザ端末１２の入力部５７（図３参照）が操作されて、第３階層の各種目標情報のうち、「挨拶の徹底」に対応するチェックボックスがチェックされ、入力部５７に設けられた送信ボタン（図示せず）が押下されたものとする。
この場合、ユーザ端末１２の目標情報送信部１２１は、「挨拶の徹底」をユーザの目標として、入力部５７を介して受け付ける。目標情報送信部１２１は、ユーザの目標として受け付けた「挨拶の徹底」を表すデータを、目標情報として生成する。目標情報送信部１２１は、生成した目標情報を情報処理装置１１の目標情報受付部１１１へ送信する。
この場合、情報処理装置１１の目標情報受付部１１１は、「挨拶の徹底」を表す目標情報を受信して受け付ける。
【００４２】
図４に戻って、次に、階層判定部１１２は、目標情報受付部１１１が受け付けた目標情報が属する階層を、目標管理ＤＢ１３１に基づいて判定する。
【００４３】
図７は、目標管理ＤＢ１３１の構造の一例を示す図である。
目標管理ＤＢ１３１においては、「目標情報」とその「達成率」とが階層毎に対応付けられて記憶されている。「達成率」とは、対応する「目標情報」により示される目標を過去に設定した複数人（ユーザを含んでもよい）を母集団として、当該目標を達成した人数の、母集団の人数に対する割合（過去の履歴）のことである。
第１階層には、最上位の概念の目標情報とその達成率とが対応付けられて記憶されている。第２階層には、第１階層の目標情報の下位概念となるより具体的な目標情報とその達成率とが対応付けられて記憶されている。第３階層以降も同様である。階層の数の値は、任意の正の整数の値であることが可能である。
具体的には、ここでは、第１階層の複数の目標情報のうち、「目標Ａ」に着目して説明する。第１階層の目標情報である「目標Ａ」の下位概念として、第２階層の目標情報「目標ＡＡ」、「目標ＡＢ」、…が存在する。さらに、第２階層の「目標ＡＡ」に着目すると、その下位概念として、第３階層の目標情報「目標ＡＡＡ」、「目標ＡＡＢ」、…が存在する。
各階層の目標情報の例として、第１階層では、「土台」、第２階層では、土台の下位概念でありより具体化された「マナー」、第３階層では、マナーの下位概念でありより具体化された「挨拶の徹底」などがある。さらに、第４階層では、挨拶の徹底の下位概念でありより具体化された「挨拶のシミュレーション」、第５階層では、「挨拶のシミュレーション」の下位概念でありより具体化された「はっきりとしゃべる」などがある。
【００４４】
図４に戻って、階層判定部１１２は、目標情報受付部１１１が受け付けた目標情報が「目標ＢＢＢ」である場合、目標管理ＤＢ１３１を参照して、第３階層と判定する。ここでは上述の具体例を引き続き用いて、目標情報受付部１１１が受け付けた目標情報は、第３階層の「挨拶の徹底」であるものとして説明する。したがって、階層判定部１１２は、「挨拶の徹底」は第３階層であると判定する。
【００４５】
目標情報抽出部１１３は、階層判定部１１２により判定された階層より１つ下位層の目標情報のうち、達成率が所定以上（本実施形態では、７０％以上とする）の目標情報を下位層目標情報として目標管理ＤＢ１３１から抽出する。即ち、第３階層の１つ下位層である第４階層の目標情報のうち、達成率が７０％以上の目標情報を下位層目標情報として目標管理ＤＢ１３１から抽出する。
【００４６】
図８は、「挨拶の徹底」の下位概念である目標情報と達成率との対応関係を示した図である。
この図８に示した図に相当するデータは、目標管理ＤＢ１３１に記憶されている。例えば、「挨拶の徹底」が第３階層の目標情報である場合、第４階層の目標情報として記憶されている。
図８によれば、「挨拶の徹底」の下位層目標情報として「入室する際、全員が朝、大声で挨拶する」と達成率「９５％」とが対応付けられている。その他の項目も同様である。
また、図８によれば、達成率が７０％以上の下位層目標情報は、「入室する際、全員が朝、大声で挨拶する」、「挨拶のシミュレーション」、及び「声を大きく出す練習」である。
したがって、図４に戻って、目標情報抽出部１１３は、下位層目標情報として「入室する際、全員が朝、大声で挨拶する」、「挨拶のシミュレーション」、及び「声を大きく出す練習」を目標管理ＤＢ１３１から抽出する。
【００４７】
次に、目標情報送信部１１４は、目標情報抽出部１１３により抽出された下位層目標情報を、ユーザ端末１２の目標情報提示部１２２に送信する。
【００４８】
目標情報提示部１２２は、情報処理装置１１から送信されてきた目標情報を、出力部５６のディスプレイに提示する制御を実行する。
これにより、第３階層の「挨拶の徹底」を設定したユーザは、当該「挨拶の徹底」よりもより具体的であって、かつ、良好な達成状況をもたらす下位層の目標として、「入室する際、全員が朝、大声で挨拶する」、「挨拶のシミュレーション」、及び「声を大きく出す練習」がユーザに提示される。このことにより、ユーザは実際に実施する内容（行動内容）により近い具体的な下位目標を認識した上で、本人にとって取り組みやすく、かつ、良好な達成状況をもたらす目標設定作業をスムーズに行うことができる。
【００４９】
さらに、ユーザは、もっと具体的な下位目標（ここでは、第４階層以下の目標）を知りたい場合には、入力部５７（図３参照）を操作して、所望の階層を指示することができる。なお、ここでいう「所望の階層を指示」とは、具体的な階層を指示することのみならず、より下位の階層或いはより上位の階層といった指示も含む広義な概念である。
この場合、階層指示部１２３は、入力部５７を介してユーザの指示を受け取ると、当該指示に基づいて、階層を指示するための情報を生成して、情報処理装置１１に送信する。
【００５０】
情報処理装置１１の階層設定部１１５は、ユーザ端末１２の階層指示部１２３から送信された、階層を指示するための情報を受信すると、当該指示された階層を階層情報として設定する。
【００５１】
次に、目標情報抽出部１１３は、階層設定部１１５により設定された階層の目標情報のうち、達成率が７０％以上の目標情報を、下位層目標情報として抽出する。本実施形態では、当該設定された階層は、ユーザ端末１２に送信された下位層目標情報の１つ下位層であるとして説明する。
【００５２】
図９は、「挨拶のシミュレーション」の下位概念である目標情報と達成率との対応関係を示した図である。
この図９に示した図に相当するデータは、目標管理ＤＢ１３１に記憶されている。例えば、「挨拶のシミュレーション」が第４階層の目標情報である場合、第５階層の目標情報として記憶されている。
図９によれば、「挨拶のシミュレーション」の下位層目標情報として「大きな声で挨拶する」と達成率「９３％」とが対応付けられている。その他の項目も同様である。
また、図９によれば、達成率が７０％以上の下位層目標情報は、「大きな声で挨拶する」、「はっきりとしゃべる」、及び「姿勢を正しくする」である。
したがって、図４に戻って、目標情報送信部１１４は、下位層目標情報として「大きな声で挨拶する」、「はっきりとしゃべる」、及び「姿勢を正しくする」をユーザ端末１２の目標情報提示部１２２に送信する。
【００５３】
目標情報提示部１２２は、情報処理装置１１の目標情報送信部１１４から送信されてきた目標情報を、出力部５６のディスプレイに提示する制御を実行する。
【００５４】
以上、目標設定アシストシステム１０を構成する情報処理装置１１及びユーザ端末１２の各機能的構成について説明した。次に、目標設定アシストシステム１０を構成する情報処理装置１１及びユーザ端末１２が目標設定アシスト処理をそれぞれ実行する場合における相互の処理の関係について、図１０を参照して説明する。
図１０は、図１の目標設定アシストシステム１０を構成する情報処理装置１１及びユーザ端末１２が目標設定アシスト処理をそれぞれ実行する場合における相互の処理の関係について説明するアローチャートである。
【００５５】
ステップＳ１１において、ユーザ端末１２の目標情報送信部１２１は、ユーザの目標を入力部５７（図３参照）を介して受け付ける。目標情報送信部１２１は、受け付けたユーザの目標に基づいて、目標情報を生成する。目標情報送信部１２１は、生成した目標情報を情報処理装置１１の目標情報受付部１１１へ送信する。
【００５６】
ステップＳ１２において、目標情報受付部１１１は、ユーザ端末１２の目標情報送信部１２１から送信されたユーザの目標情報を、通信部２９（図２）を介して受信して受け付ける。
【００５７】
ステップＳ１３において、階層判定部１１２は、ステップＳ１２において目標情報受付部１１１が受け付けた目標情報が属する階層を、目標管理ＤＢ１３１に基づいて判定する。
【００５８】
ステップＳ１４において、目標情報抽出部１１３は、ステップＳ１３において階層判定部１１２により判定された階層の１つ下位の階層に属する目標情報のうち、達成率が７０％以上の目標情報を下位層目標情報として目標管理ＤＢ１３１から抽出する。
【００５９】
ステップＳ１５において、目標情報送信部１１４は、ステップＳ１４において目標情報抽出部１１３により抽出された下位層目標情報を、ユーザ端末１２の目標情報提示部１２２に送信する。
【００６０】
ステップＳ１６において、目標情報提示部１２２は、情報処理装置１１の目標情報送信部１１４から送信されてきた目標情報を、出力部５６のディスプレイに提示する制御を実行する。
【００６１】
ステップＳ１７において、階層指示部１２３は、階層を指示するための情報を生成して情報処理装置１１の階層設定部１１５に送信する。
【００６２】
ステップＳ１８において、階層設定部１１５は、ユーザ端末１２の階層指示部１２３から送信された、階層を指示するための情報を受信すると、当該指示された階層を階層情報として設定する。
【００６３】
ステップＳ１９において、目標情報抽出部１１３は、ステップＳ１８において階層設定部１１５により設定された階層に属する目標情報のうち、達成率が７０％以上の目標情報を、下位層目標情報として目標管理ＤＢ１３１から抽出する。
【００６４】
ステップＳ２０において、目標情報送信部１１４は、ステップＳ１９において目標情報抽出部１１３により抽出された下位層目標情報を、ユーザ端末１２の目標情報提示部１２２に送信する。
【００６５】
ステップＳ２１において、目標情報提示部１２２は、情報処理装置１１の目標情報送信部１１４から送信されてきた目標情報を、出力部５６のディスプレイに提示する制御を実行する。この処理が終了すると、目標設定アシスト処理は終了となる。
【００６６】
以上、第１実施形態について説明した。
第１実施形態の情報処理装置１１は、目標情報受付部１１１と、階層判定部１１２と、目標情報抽出部１１３と、目標情報送信部１１４とを備える。
目標情報受付部１１１は、ユーザの目標の内容を示す目標情報をユーザ端末１２から受け付ける。
階層判定部１１２は、複数の目標情報及びその達成状況が階層構造で格納された目標管理ＤＢ１３１に基づいて、目標情報受付部１１１により受け付けられた目標情報の階層を判定する。
目標情報抽出部１１３は、階層判定部１１２により判定された目標情報の階層とは異なる階層に属する目標情報を、目標管理ＤＢ１３１から抽出する。
目標情報送信部１１４は、目標情報抽出部１１３により抽出された目標情報を、ユーザ端末１２に送信する。
【００６７】
したがって、ユーザ端末１２から受け付けられた目標情報の階層よりも下位層に属する目標情報が抽出された場合、ユーザが設定しようとする目標情報の下位概念をユーザに提示できるので、より具体的な目標情報をユーザに提示できる。
【００６８】
また、第１実施形態の情報処理装置１１において、目標情報抽出部１１３は、階層判定部１１２により判定された目標情報の階層よりも下位層に属する目標情報のうち、達成率が７０％以上の目標情報を、下位層目標情報として目標管理ＤＢ１３１から抽出する。
【００６９】
したがって、ユーザ端末１２から受け付けられた目標情報より具体的な目標情報であって、かつ、良好な達成率をもたらす目標情報をユーザに提示できる。
このことにより、ユーザは、実際に実施する行動内容により近い具体的な下位目標を認識した上で、ユーザ自身にとって取り組み易く、かつ、良好な達成率をもたらす目標設定作業を実行できる。
【００７０】
また、第１実施形態の情報処理装置１１は、階層設定部１１５をさらに備える。
階層設定部１１５は、目標情報抽出部１１３の抽出対象となる階層を設定する。
目標情報抽出部１１３は、階層判定部１１２により判定された目標情報の階層よりも下位層であってかつ階層設定部１１５により設定された階層に属する目標情報のうち、達成率が７０％以上の目標情報を、下位層目標情報として目標管理ＤＢ１３１から抽出する。
【００７１】
したがって、ユーザ端末１２から受け付けられた目標情報より具体的な目標情報であって、かつ、良好な達成率をもたらす目標情報をユーザに提示できると共に、ユーザが所望する階層の目標情報をユーザに提示できる。
【００７２】
以上、本発明の第１実施形態に係る目標設定アシストシステム１０の情報処理装置１１及びユーザ端末１２について説明した。
次に、本発明の第２実施形態に係る目標設定アシストシステム１０の情報処理装置１１及びユーザ端末１２について説明する。
【００７３】
［第２実施形態］
第１実施形態では、情報処理装置１１は、階層判定部１１２によって判定された階層より下位層の目標情報を抽出した。一方、第２実施形態では、情報処理装置１１は、階層判定部１１２によって判定された階層より上位層の目標情報を抽出する。
【００７４】
第２実施形態に係る目標設定アシストシステム１０の情報処理装置１１及びユーザ端末１２は、第１実施形態に係る目標設定アシストシステム１０の情報処理装置１１及びユーザ端末１２と基本的に同様のハードウェア構成を取ることができる。したがって、図２及び図３は、第２実施形態に係る情報処理装置１１及びユーザ端末１２のハードウェアの構成を示すブロック図でもある。
また、第２実施形態に係る情報処理装置１１及びユーザ端末１２は、第１実施形態に係る情報処理装置１１及びユーザ端末１２と基本的に同様の機能的構成を取ることができる。ただし、第２実施形態の情報処理装置１１は、階層設定部１１５を備えず、第２実施形態の及びユーザ端末１２は、階層指示部１２３を備えない。次に、図１１を参照して、第２実施形態の情報処理装置１１の機能的構成について、第１実施形態と相違する点についてのみ説明する。
【００７５】
図１１は、第２実施形態の目標設定アシストシステム１０を構成する情報処理装置１１及びユーザ端末１２の機能的構成のうち、目標設定アシスト処理を実行するための機能的構成を示す機能ブロック図である。
第２実施形態の情報処理装置１１の目標情報受付部１１１、階層判定部１１２、目標情報送信部１１４、及び目標管理ＤＢ１３１のそれぞれについては、第１実施形態の目標情報受付部１１１、階層判定部１１２、目標情報送信部１１４、及び目標管理ＤＢ１３１のそれぞれと基本的に同様の機能的構成をとることができる。よって、これらの説明については省略する。
また、第２実施形態のユーザ端末１２の目標情報送信部１２１及び目標情報提示部１２２のそれぞれについては、第１実施形態の目標情報送信部１２１及び目標情報提示部１２２のそれぞれと基本的に同様の機能的構成をとることができる。よって、これらの説明については省略する。
【００７６】
目標情報抽出部１１３は、階層判定部１１２により判定された階層の１つ上位の階層に属する目標情報を上位層目標情報として抽出する。例えば、階層判定部１１２より判定された階層が第３階層であり、目標情報受付部１１１が受け付けた目標情報が「挨拶の徹底」である場合、第２階層の目標情報である「マナー」を上位層目標情報として目標管理ＤＢ１３１から抽出する。
【００７７】
図１２は、図１の第２実施形態の目標設定アシストシステム１０を構成する情報処理装置１１及びユーザ端末１２が目標達成情報受付処理をそれぞれ実行する場合における相互の処理の関係について説明するアローチャートである。
【００７８】
ステップＳ３１〜ステップＳ３３までの処理については、図１０の第１実施形態のステップＳ１３〜ステップＳ１３の処理と同様であるため説明を省略する。
【００７９】
ステップＳ３４において、目標情報抽出部１１３は、ステップＳ１３において階層判定部１１２により判定された階層の１つ上位の階層に属する目標情報を上位層目標情報として抽出する。
【００８０】
ステップＳ３５及びステップＳ３６の処理については、図１０の第１実施形態のステップＳ１５及びステップＳ１６の処理と同様であるため説明を省略する。ステップＳ３６の処理が終了すると、第２実施形態の目標設定アシスト処理は終了となる。
【００８１】
以上、第２実施形態について説明した。
第２実施形態の情報処理装置１１は、目標情報受付部１１１と、階層判定部１１２と、目標情報抽出部１１３と、目標情報送信部１１４とを備える。
目標情報受付部１１１は、ユーザの目標の内容を示す目標情報をユーザ端末１２から受け付ける。
階層判定部１１２は、複数の目標情報及びその達成状況が階層構造で格納された目標管理ＤＢ１３１に基づいて、目標情報受付部１１１により受け付けられた目標情報の階層を判定する。
目標情報抽出部１１３は、階層判定部１１２により判定された目標情報の階層とは異なる階層に属する目標情報を、目標管理ＤＢ１３１から抽出する。
目標情報送信部１１４は、目標情報抽出部１１３により抽出された目標情報を、ユーザ端末１２に送信する。
【００８２】
したがって、ユーザ端末１２から受け付けられた目標情報の階層よりも上位層に属する目標情報が抽出された場合、ユーザが設定しようとする目標情報の上位概念の目標情報をユーザに提示できるので、ユーザが設定した目標情報が属するカテゴリをユーザに提示できる。
【００８３】
以上、本発明の第２実施形態に係る目標設定アシストシステム１０の情報処理装置１１及びユーザ端末１２について説明した。
次に、本発明の第３実施形態に係る目標設定アシストシステム１０の情報処理装置１１及びユーザ端末１２について説明する。
【００８４】
［第３実施形態］
第１及び第２実施形態では、情報処理装置１１は、単一の目標情報を受け付けて、階層判定部１１２によって判定された階層とは異なる階層の目標情報を抽出した。一方、第３実施形態では、情報処理装置１１は、複数の目標情報を受け付けて、受け付けた各々の目標情報について階層判定部１１２によって判定された階層より下位層の目標情報のうち、共通する目標情報を優先的に抽出する。
【００８５】
第３実施形態に係る目標設定アシストシステム１０の情報処理装置１１及びユーザ端末１２は、第１実施形態に係る目標設定アシストシステム１０の情報処理装置１１及びユーザ端末１２と基本的に同様のハードウェア構成を取ることができる。したがって、図２及び図３は、第３実施形態に係る情報処理装置１１及びユーザ端末１２のハードウェアの構成を示すブロック図でもある。
また、第３実施形態に係る情報処理装置１１及びユーザ端末１２は、第１実施形態に係る情報処理装置１１及びユーザ端末１２と基本的に同様の機能的構成を取ることができる。ただし、第３実施形態の情報処理装置１１は、階層設定部１１５を備えず、第３実施形態の及びユーザ端末１２は、階層指示部１２３を備えない。次に、図１１を参照して、第３実施形態の情報処理装置１１の機能的構成について、第１実施形態と相違する点についてのみ説明する。
【００８６】
図１１は、第３実施形態の目標設定アシストシステム１０を構成する情報処理装置１１及びユーザ端末１２の機能的構成のうち、目標設定アシスト処理を実行するための機能的構成を示す機能ブロック図である。
【００８７】
目標情報送信部１２１は、ユーザの複数の目標を入力部５７（図３参照）を介して受け付ける。目標情報送信部１２１は、受け付けたユーザの複数の目標に基づいて、複数の目標情報を生成する。目標情報送信部１２１は、生成した複数の目標情報を情報処理装置１１の目標情報受付部１１１へ送信する。第３実施形態では、「挨拶の徹底」及び「コミュニケーション力の向上」という２つの目標情報が入力されたものとして説明する。
【００８８】
目標情報受付部１１１は、ユーザ端末１２の目標情報送信部１２１から送信されたユーザの複数の目標情報を、通信部２９（図２）を介して受信して受け付ける。
【００８９】
次に、階層判定部１１２は、目標情報受付部１１１が受け付けた複数の目標情報の各々が属する階層を、目標管理ＤＢ１３１に基づいて判定する。第３実施形態では、「挨拶の徹底」及び「コミュニケーション力の向上」という目標情報は、ともに第３階層であるものとして説明する。したがって、階層判定部１１２は、これらの目標情報の階層を各々第３階層と判定する。
【００９０】
目標情報抽出部１１３は、各々の目標情報について階層判定部１１２により判定された各々の階層の１つ下位の階層に属する目標情報のうち、達成率が７０％以上の目標情報を下位層目標情報として目標管理ＤＢ１３１から抽出する。即ち、目標情報抽出部１１３は、各々も目標情報が属する階層である第３階層の１つ下位の階層である第４階層に属する目標情報のうち、７０％以上の目標情報を下位層目標情報として目標管理ＤＢ１３１から抽出する。
この際、目標情報抽出部１１３は、各々の目標情報について階層判定部１１２により判定された各々の階層の１つ下位の階層に属する目標情報のうち、共通の目標情報を優先的に抽出する。即ち、目標情報抽出部１１３は、当該共通の目標情報の達成率が７０％未満であっても、当該共通の目標情報を下位層目標情報として抽出する。
【００９１】
図１３は、「コミュニケーション力の向上」の下位概念である目標情報と達成率との対応関係を示した図である。
この図１３に示した図に相当するデータは、目標管理ＤＢ１３１に記憶されている。例えば、「コミュニケーション力の向上」が第３階層の目標情報である場合、第４階層の目標情報として記憶されている。
図１３によれば、「コミュニケーション力の向上」の下位層目標情報として「目を見て話す」と達成率「９０％」とが対応付けられている。その他の項目も同様である。
また、図１３によれば、達成率が７０％以上の下位層目標情報は、「目を見て話す」、「はっきりとしゃべる」、及び「姿勢を正しくする」である。
また、図８によれば、「挨拶の徹底」の下位層目標情報のうち、達成率が７０％以上の下位層目標情報は、「入室する際、全員が朝、大声で挨拶する」、「挨拶のシミュレーション」、及び「声を大きく出す練習」である。
したがって、図１１に戻って、目標情報抽出部１１３は、「挨拶の徹底」の下位層目標情報として「入室する際、全員が朝、大声で挨拶する」、「挨拶のシミュレーション」、及び「声を大きく出す練習」を目標管理ＤＢ１３１から抽出する。これとともに、目標情報抽出部１１３は、「コミュニケーション力の向上」の下位層目標情報として「目を見て話す」、「はっきりとしゃべる」、及び「姿勢を正しくする」を目標管理ＤＢ１３１から抽出する。
さらに、図８及び図１３によれば、「挨拶の徹底」の下位層目標情報と、「コミュニケーション力の向上」の下位層目標情報とに共通する下位層目標情報として、「入室する際、全員が朝、大声で挨拶する」が存在する。ところで「入室する際、全員が朝、大声で挨拶する」の達成率は、「挨拶の徹底」の下位層目標情報としては７０％以上であり抽出対象であるが、「コミュニケーション力の向上」の下位層目標情報としては７０％未満であり抽出対象ではない。しかしながら、「入室する際、全員が朝、大声で挨拶する」という目標情報は、「挨拶の徹底」の下位層目標情報と、「コミュニケーション力の向上」の下位層目標情報とに共通する下位層目標情報である。したがって、この場合、図１１にもどって、目標情報抽出部１１３は、「コミュニケーション力の向上」の下位層目標情報として、「入室する際、全員が朝、大声で挨拶する」を目標管理ＤＢ１３１から抽出する。よって、「コミュニケーション力の向上」の下位層目標情報として、「目を見て話す」、「はっきりとしゃべる」、「姿勢を正しくする」、及び「入室する際、全員が朝、大声で挨拶する」が抽出される。
【００９２】
次に、目標情報送信部１１４は、目標情報抽出部１１３により抽出された下位層目標情報を、ユーザ端末１２の目標情報提示部１２２に送信する。
【００９３】
目標情報提示部１２２は、情報処理装置１１の目標情報送信部１１４から送信されてきた目標情報を、出力部５６のディスプレイに提示する制御を実行する。
【００９４】
図１４は、図１の第３実施形態の目標設定アシストシステム１０を構成する情報処理装置１１及びユーザ端末１２が目標達成情報受付処理をそれぞれ実行する場合における相互の処理の関係について説明するアローチャートである。
【００９５】
ステップＳ４１において、目標情報送信部１２１は、ユーザの複数の目標を入力部５７（図３参照）を介して受け付ける。目標情報送信部１２１は、受け付けたユーザの複数の目標に基づいて、複数の目標情報を生成する。目標情報送信部１２１は、生成した複数の目標情報を情報処理装置１１の目標情報受付部１１１へ送信する。
【００９６】
ステップＳ４２において、目標情報受付部１１１は、ユーザ端末１２の目標情報送信部１２１から送信されたユーザの複数の目標情報を、通信部２９（図２）を介して受信して受け付ける。
【００９７】
ステップＳ４３において、階層判定部１１２は、ステップＳ４２において目標情報受付部１１１が受け付けた複数の目標情報の各々が属する階層を、目標管理ＤＢ１３１に基づいて判定する。
【００９８】
ステップＳ４４において、目標情報抽出部１１３は、ステップＳ４３において、各々の目標情報について階層判定部１１２により判定された各々の階層の１つ下位の階層に属する目標情報のうち、達成率が７０％以上の目標情報を下位層目標情報として目標管理ＤＢ１３１から抽出する。この際、目標情報抽出部１１３は、各々の目標情報について階層判定部１１２により判定された各々の階層の１つ下位の階層に属する目標情報のうち、共通の目標情報を優先的に抽出する。
【００９９】
ステップＳ４５及びステップＳ４６の処理については、図１０の第１実施形態のステップＳ１５及びステップＳ１６の処理と同様であるため説明を省略する。ステップＳ４６の処理が終了すると、第３実施形態の目標設定アシスト処理は終了となる。
【０１００】
以上、第３実施形態について説明した。
第３実施形態の情報処理装置１１は、目標情報受付部１１１と、階層判定部１１２と、目標情報抽出部１１３と、目標情報送信部１１４とを備える。
目標情報受付部１１１は、ユーザの目標の内容を示す目標情報をユーザ端末１２から受け付ける。
階層判定部１１２は、複数の目標情報及びその達成状況が階層構造で格納された目標管理ＤＢ１３１に基づいて、目標情報受付部１１１により受け付けられた目標情報の階層を判定する。
目標情報抽出部１１３は、階層判定部１１２により判定された目標情報の階層よりも下位層に属する目標情報のうち、達成率が７０％以上の目標情報を、下位層目標情報として目標管理ＤＢ１３１から抽出する。
目標情報送信部１１４は、目標情報抽出部１１３により抽出された目標情報を、ユーザ端末１２に送信する。
この場合、目標情報受付部１１１は、複数の目標情報を受け付ける。
また、階層判定部１１２は、当該複数の目標情報の各々の階層を判定する。
また、目標情報抽出部１１３は、階層判定部１１２により判定された当該複数の目標情報の各々の階層よりも下位層に属する目標情報のうち、当該複数の目標情報に共通して下位層目標情報となり得るものを、当該下位層目標情報として優先的に抽出する。
【０１０１】
したがって、複数の目標を達成するための共通する具体的な目標情報をユーザに優先的に提示できる。
【０１０２】
なお、本発明は、上述の実施形態に限定されるものではなく、本発明の目的を達成できる範囲での変形、改良等は本発明に含まれるものである。
【０１０３】
また、上述の実施形態では、本発明が適用される情報処理装置１１は、パーソナルコンピュータを例として説明したが、特にこれに限定されない。
例えば、本発明は、表示機能を有する電子機器一般に適用することができる。具体的には、例えば、本発明は、ノート型のパーソナルコンピュータ、テレビジョン受像機、ビデオカメラ、携帯型ナビゲーション装置、携帯電話機、ポータブルゲーム機等に適用可能である。
【０１０４】
上述した一連の処理は、ハードウェアにより実行させることもできるし、ソフトウェアにより実行させることもできる。
換言すると、図４及び図１１の機能的構成は例示に過ぎず、特に限定されない。即ち、上述した一連の処理を全体として実行できる機能が情報処理装置１に備えられていれば足り、この機能を実現するためにどのような機能ブロックを用いるのかは特に図４及び図１１の例に限定されない。
また、１つの機能ブロックは、ハードウェア単体で構成してもよいし、ソフトウェア単体で構成してもよいし、それらの組み合わせで構成してもよい。
【０１０５】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１０６】
このようなプログラムを含む記録媒体は、ユーザにプログラムを提供するために装置本体とは別に配布される図２のリムーバブルメディア４１により構成されるだけでなく、装置本体に予め組み込まれた状態でユーザに提供される記録媒体等で構成される。リムーバブルメディア４１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ２２や、図２の記憶部２８に含まれるハードディスク等で構成される。
【０１０７】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０１０８】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【符号の説明】
【０１０９】
１０・・・目標設定アシストシステム、１１・・・情報処理装置、１２・・・ユーザ端末、２１・・・ＣＰＵ、２２・・・ＲＯＭ、２３・・・ＲＡＭ、２４・・・バス、２５・・・入出力インターフェース、２６・・・出力部、２７・・・入力部、２８・・・記憶部、２９・・・通信部、３０・・・ドライブ、４１・・・リムーバブルメディア、１１１・・・目標情報受付部、１１２・・・階層判定部、１１３・・・目標情報抽出部、１１４・・・目標情報送信部、１１５・・・階層設定部、１２１・・・目標情報送信部、１２２・・・目標情報提示部、１２３・・・階層指示部、１３１・・・目標管理ＤＢ
【図１】
2014067364.tif 000003
【図２】
2014067364.tif 000004
【図３】
2014067364.tif 000005
【図４】
2014067364.tif 000006
【図５】
2014067364.tif 000007
【図６】
2014067364.tif 000008
【図７】
2014067364.tif 000009
【図８】
2014067364.tif 000010
【図９】
2014067364.tif 000011
【図１０】
2014067364.tif 000012
【図１１】
2014067364.tif 000013
【図１２】
2014067364.tif 000014
【図１３】
2014067364.tif 000015
【図１４】
2014067364.tif 000016